(57)【特許請求の範囲】
【請求項１】
所定のユーザを表すユーザ識別情報を保持し、上記ユーザ識別情報を送信する携帯装置と、
上記携帯装置から受信した上記ユーザ識別情報を送信して認証を行った後に、上記ユーザ識別情報と上記ユーザ所望のホームサービスの要求とを送信する通信端末装置と、
上記通信端末装置とネットワークを介して接続され、上記通信端末装置から送信される上記ユーザ識別情報と上記ホームサービスの要求とに基づいて、予め記録された上記ユーザ個人が所有する画像データと、上記ユーザが選択可能な複数のサービスからなるサービスリストとを上記通信端末装置に送信して、上記サービスリストを上記ユーザに提示させることにより、上記ユーザが所望する所望サービスを上記携帯装置において上記サービスリストから選択させる個人画像データサーバと、
上記通信端末装置と上記ネットワークを介して接続され、上記個人画像データサーバの位置情報を有し、上記ユーザ識別情報を上記通信端末装置から受信すると、当該ユーザ識別情報に基づく認証を行い、当該ユーザ識別情報に対応した上記個人画像データサーバの位置情報を返信する認証サーバと、
上記通信端末装置と上記ネットワークを介して接続され、上記所望サービスに対応したサービス識別情報により示されるプログラムの送信要求と、当該サービス識別情報とが上記通信端末装置から送信されると、当該サービス識別情報により示されるプログラムを上記通信端末装置に返信するサービスサーバと、
上記通信端末装置と上記ネットワークを介して接続され、上記サービスサーバの位置情報を有し、上記所望サービスに対応したサービス識別情報を上記通信端末装置から受信すると、当該サービス識別情報により示されるプログラムが格納された上記サービスサーバの位置情報を返信するサービス検索サーバと
を有するネットワークシステム。
【請求項２】
上記携帯装置は、
上記携帯装置を使用する上記ユーザとの間で所有者認証を行う所有者認証手段を有し、
上記所有者認証の結果に応じて上記ユーザ識別情報を上記通信端末装置に送信する
請求項１に記載のネットワークシステム。
【請求項３】
上記通信端末装置は、
上記認証サーバの位置情報を有し、当該位置情報に基づいて上記認証サーバとの間の認証を行う
請求項１に記載のネットワークシステム。
【請求項４】
所定のユーザを表すユーザ識別情報を保持した携帯装置から送信される上記ユーザ識別情報を、ネットワークを介して接続された認証サーバに送信することにより、上記認証サーバとの間で上記ユーザ識別情報に基づく認証を行う認証手段と、
上記ユーザ識別情報に対応した個人画像データサーバの位置情報を上記認証サーバから受信する個人画像データサーバ位置情報受信手段と、
上記個人画像データサーバの位置情報に基づいて、上記ネットワークを介して接続された上記個人画像データサーバに上記ユーザ識別情報と上記ユーザ所望のホームサービスの要求とを送信し、上記個人画像データサーバに予め記録された上記ユーザ個人が所有する画像データと、上記ユーザが選択可能な複数のサービスからなるサービスリストとを上記個人画像データサーバから受信するホームサービス受信手段と、
上記サービスリストを上記ユーザに提示し、上記携帯装置により、上記ユーザが所望する所望サービスを上記サービスリストから選択させる所望サービス選択手段と、
上記所望サービスに対応したサービス識別情報を、上記ネットワークを介して接続された所定のサービス検索サーバに送信して、当該サービス識別情報により示されるプログラムが格納されたサービスサーバの位置情報を上記サービス検索サーバから受信するサービスサーバ位置情報受信手段と、
上記所望サービスに対応したサービス識別情報により示されるプログラムの送信要求と当該サービス識別情報とを、上記サービスサーバの位置情報に基づいて、上記ネットワークを介して接続された上記サービスサーバに送信して、当該サービス識別情報により示されるプログラムを上記サービスサーバから受信するプログラム受信手段と
を有する通信端末装置。
【請求項５】
所定のユーザを表すユーザ識別情報を保持するユーザ識別情報保持手段と、
上記ユーザ識別情報保持手段に保持された上記ユーザ識別情報を所定の通信端末装置に送信することにより、上記通信端末装置に対して、ネットワークを介して接続された認証サーバに認証要求を送信させ当該認証サーバとの間で上記ユーザ識別情報に基づく認証を行わせる認証要求手段と、
上記通信端末装置に提示された、上記ユーザが選択可能な複数のサービスからなるサービスリストから、上記ユーザが所望する所望サービスを選択させる所望サービス選択手段と
を有する携帯装置。
【請求項６】
上記携帯装置は、
上記携帯装置を使用する複数のユーザごとに対応する上記ユーザ識別情報を上記ユーザ識別情報保持手段に保持する
請求項５に記載の携帯装置。
【発明の詳細な説明】
【０００１】
【発明の属する技術分野】
本発明はネットワークシステム、通信端末装置及び携帯装置に関し、携帯装置を用いてユーザがネットワークに接続される任意の通信端末装置を介して種々のサービスを受けるようにしたネットワークシステム、通信端末装置及び携帯装置に適用して好適なものである。
【０００２】
【従来の技術】
従来、パーソナルコンピュータを所有するユーザがネットワークを介して所定のサービス提供手段から情報等の種々のサービスの提供を受ける場合、ユーザは個人で所有するパーソナルコンピュータをネットワークに接続し、ネットワーク上でのサービス提供手段であるサービスサーバの位置情報をパーソナルコンピュータを介して指定することにより、サービスサーバからパーソナルコンピュータを介して種々のサービスを受けるようになされている。
【０００３】
また、サービス提供手段からサービスを受ける端末装置として、例えばテレビジョン放送を受信して表示するテレビジョン装置がある。テレビジョン装置では、サービス提供手段である放送局から配信される複数チャンネルのテレビジョン放送のなかから、ユーザが任意のチャンネルを選局するようになされている。
【０００４】
【発明が解決しようとする課題】
ところで、パーソナルコンピュータを介してサービスの提供を受ける場合には、ユーザはサービスを受けるための認証情報（ユーザＩＤ）をキーボードで入力する方法がある。しかし、パーソナルコンピュータを含む通信端末装置において、ユーザが認証情報を携帯し、かつテレビジョン装置のリモートコントローラの操作のような手軽な操作で任意の機器に対して認証を行い、サービスを受けることができない。また、テレビジョン装置のリモートコントローラにはユーザがサービスを受けるための認証情報（ユーザＩＤ）を保持しておらず、特定のユーザに対するサービス提供を行う方法がない。
【０００５】
本発明は以上の点を考慮してなされたもので、不特定の通信端末装置でサービスを受けることができるネットワークシステム、通信端末装置及び携帯装置を提案しようとするものである。
【０００６】
【課題を解決するための手段】
かかる課題を解決するため本発明のネットワークシステムにおいては、所定のユーザを表すユーザ識別情報を保持し、ユーザ識別情報を送信する携帯装置と、携帯装置から受信したユーザ識別情報を送信して認証を行った後に、ユーザ識別情報とユーザ所望のホームサービスの要求とを送信する通信端末装置と、通信端末装置とネットワークを介して接続され、通信端末装置から送信されるユーザ識別情報とホームサービスの要求とに基づいて、予め記録されたユーザ個人が所有する画像データと、ユーザが選択可能な複数のサービスからなるサービスリストとを通信端末装置に送信して、サービスリストをユーザに提示させることにより、ユーザが所望する所望サービスを携帯装置においてサービスリストから選択させる個人画像データサーバと、通信端末装置とネットワークを介して接続され、個人画像データサーバの位置情報を有し、ユーザ識別情報を通信端末装置から受信すると、当該ユーザ識別情報に基づく認証を行い、当該ユーザ識別情報に対応した個人画像データサーバの位置情報を返信する認証サーバと、通信端末装置とネットワークを介して接続され、所望サービスに対応したサービス識別情報により示されるプログラムの送信要求と、当該サービス識別情報とが通信端末装置から送信されると、当該サービス識別情報により示されるプログラムを通信端末装置に返信するサービスサーバと、通信端末装置とネットワークを介して接続され、サービスサーバの位置情報を有し、所望サービスに対応したサービス識別情報を通信端末装置から受信すると、当該サービス識別情報により示されるプログラムが格納されたサービスサーバの位置情報を返信するサービス検索サーバとを設けるようにした。これにより携帯装置は、所定のサービスに対応するプログラムが格納されたサービスサーバを示す位置情報や、ユーザが選択可能な複数のサービスからなるサービスリストを保持する必要がない通信端末装置を介してプログラムを受信することができる。
【０００７】
【発明の実施の形態】
以下図面について、本発明の一実施の形態を詳述する。
【０００８】
（１）第１の実施の形態
図１において１は全体としてネットワークシステムを示し、インターネット等からなるネットワーク２に対してユーザが使用する複数のネットワーク端末装置６が接続される。またネットワーク２には画像データを用いたインデックスデータの作成又は、複数の画像ファイルを連続して表示させるスライドショー（ＳｌｉｄｅＳｈｏｗ）効果を表現する等、電子アルバムの形で画像データをユーザに表示することを可能とするダウンロード可能なプログラムを持ち、これをネットワーク端末装置６に供給するようになされたアルバムプログラムサービスサーバ３と、ユーザごとにディジタルカメラ等で蓄積したユーザの所有する画像を格納し、ユーザＩＤにより対応するサービスを提供すると共に、ユーザの画像データを供給可能な個人画像データサーバ４と、アルバムプログラムサービスのようなサービスに対してサービス固有のＩＤとアルバムプログラムサービスサーバ３の位置情報を保持し、サービス固有のＩＤに基づいてアルバムプログラムサービスサーバ３の位置を知らせるサービス検索サーバ８と、ネットワーク端末装置６を使用するユーザを認証して当該ユーザのユーザＩＤと個人画像データサーバ４とを対応付けるための認証サーバ５とがそれぞれ接続される。
【０００９】
ネットワーク端末装置６はネットワーク通信部１５を介してネットワーク２との間でデータの授受を行うようになされており、携帯装置７からユーザの操作に応じて供給されるコマンドに従ってアルバムプログラムサービスサーバ３、個人画像データサーバ４等からネットワーク２を介して画像データ等の種々の情報を受け取り、表示機能部１１に提示するようになされている。すなわち図２に示すように、ネットワーク端末装置６において、ＣＰＵ３１はＲＯＭ（Ｒｅａｄ  Ｏｎｌｙ  Ｍｅｍｍｏｒｙ）３３及びＲＡＭ（Ｒａｎｄｏｍ  Ａｃｃｅｓｓ  Ｍｅｍｏｒｙ）３２、Ｆｌａｓｈ  ＲＯＭ３４に格納されたプログラムに従って表示機能部１１、ネットワーク通信部１５及び近距離通信部２０等の各回路部を動作させるようになされており、近距離通信部２０のインターフェイス２５、変調部２３及びＩＲ送信部２１を介して所定の情報を赤外線に重畳し携帯装置７に送信するようになされていると共に、ＩＲ受信部２２、復調部２４及びインターフェイス２５を介して携帯装置７からの情報を受け取るようになされている。
【００１０】
また、ネットワーク端末装置６は、ネットワーク通信部１５のモデム１６、モデム制御部１７及びインターフェイス１８によりネットワーク２との間でデータを授受し、ネットワーク２を介して供給された提供情報をネットワーク通信部１５を介して表示機能部１１に入力する。表示機能部１１は受け取った画像データ等の情報をインターフェイス１４及び表示処理部１３を介してディスプレイ１２に表示することにより、当該ディスプレイ１２を見るユーザに対してネットワーク２から供給された画像等の情報を提示する。
【００１１】
携帯装置７は、ユーザが操作する操作部４１と、ネットワーク端末装置６との間で赤外線を利用した近距離通信を行う近距離通信部６１と、携帯装置７の所有者であるユーザを認証するための認証入力部５１とを有する。図３に示すように、携帯装置７において、ユーザが操作部４１の複数のボタン４２を操作すると、操作部４１は当該操作に応じた操作信号をインターフェイス（Ｉ／Ｆ）４３を介してＣＰＵ７１に供給する。ＣＰＵ７１は操作部４１から供給される操作信号に応じて、ＲＯＭ（Ｒｅａｄ  Ｏｎｌｙ  Ｍｅｍｏｒｙ）７３に格納されている種々のプログラムを実行する。
【００１２】
ここで、携帯装置７はＦｌａｓｈ  ＲＯＭ７４に携帯装置７の所有者であるユーザ固有のユーザＩＤ及び当該ユーザの指紋を表す指紋データを予め格納しており、このとき携帯装置７を使用するユーザが認証入力部５１の指紋検出部５４を介して自らの指紋を入力すると、指紋検出部５４は当該入力された指紋をデータ化して指紋データ蓄積部５５に一旦格納する。そして、指紋照合部５３は指紋データ蓄積部５５に格納された指紋データと、Ｆｌａｓｈ  ＲＯＭ７４に予め格納されている正規ユーザの指紋データとを照合することにより、このとき携帯装置７を使用しようとするユーザが正規ユーザであるか否かを判断する。
【００１３】
この指紋照合による認証処理において指紋データが一致すると、指紋照合部５３は認証結果表示部５２に認証が成功した旨を所定時間（例えば１０秒間）表示すると共に、このとき指紋照合を行ったユーザが正規ユーザである旨をＣＰＵ７１に知らせる。ＣＰＵ７１は、認証結果表示部５２に認証が成功した旨が表示される所定時間（例えば１０秒間）だけユーザによる操作部４１の入力操作を受け付け、この間にユーザが操作部４１を介して利用要求を入力すると、当該利用要求に応じたコマンドを近距離通信部６１のインターフェイス６６、変調部６４及びＩＲ送信部６２を介してネットワーク端末装置６に送信する。このように、携帯装置７はこれを使用しようとするユーザの認証結果が正規ユーザであった場合に所定時間に限って利用要求を受け付けることにより、認証を行ったユーザ以外の第３者による携帯装置７の使用を防止している。
【００１４】
なお、ユーザ及び携帯装置７間での所有者認証の方法としては、上述の方法に代えて、例えば携帯装置７のＦｌａｓｈ  ＲＯＭ７４に複数のユーザＩＤと当該ユーザＩＤに対応する指紋データを保持しておき、１つの携帯装置７に対して複数のユーザが所有者認証を行いこれを利用する方法、所有者認証を携帯装置７の操作部４１における暗証番号又はパスワードの入力及び照合により行う方法、所有者認証を行わず、携帯装置７に複数のユーザＩＤと当該ユーザＩＤに１対１で対応する操作ボタンを設けておき、ユーザが自分に対応付けられたボタンを押圧操作することによりユーザを特定する方法、又は所有者認証を行わず、携帯装置７を所有するユーザが正しいユーザであるとする方法等を適用しても良い。
【００１５】
このようにしてユーザ及び携帯装置７間での所有者認証が成功すると、携帯装置７はネットワーク２に接続された各サーバ（アルバムプログラムサービスサーバ３、個人画像データサーバ４及びサービス検索サーバ８等）から画像データ等の提供といった種々のサービスを受けるためにネットワーク端末装置を利用することができる。図４はネットワーク２に接続されたアルバムプログラムサービスサーバ３の構成を示し、ＲＯＭ１１３に格納されているプログラムに従ってＣＰＵ１１１が種々の処理を実行するようになされている。ネットワーク通信部８１はネットワーク制御部８３及びネットワーク接続部８２によりネットワーク２との間の接続を行い、インターフェイス８４を介してネットワーク２との間でデータの授受を行う。
【００１６】
操作入力部８５はデバイス制御部８８によって制御されるキーボード８６やマウス８７を介して入力されるユーザの操作入力をインターフェイス８４を介して取込むようになされている。ＣＰＵ１１１は操作入力部８２を介して入力されたユーザの操作結果に応じた処理を実行する。
【００１７】
表示部９１はＣＰＵ１１１の動作状態や、マスストレージ部１１４の各記録及び又は再生装置（内蔵記録再生装置１１５、媒体利用再生装置１１６又は媒体利用記録再生装置１１７）から再生された情報を表示処理部９３によってディスプレイ９２に可視表示する。
【００１８】
また、オーディオ入出力部１０１はマイクロホン１０２を介して入力された音声をオーディオ処理部１０４及びインターフェイス１０５を介してマスストレージ部１１４に供給し記録すると共に、マスストレージ部１１４において再生された音声をインターフェイス１０５及びオーディオ処理部１０４を介してスピーカ１０３から出力するようになされている。
【００１９】
また、アルバムプログラムサービスサーバ３はシリアルインターフェイス１１８又はパラレルインターフェイス１１９を介して外部との間でデータの授受を行うようになされている。因みに、図４はサービスサーバ３の構成を示したが、他のサーバ（個人画像データサーバ４、認証サーバ５及びサービス検索サーバ８）も同様の構成を有するものとする。
【００２０】
ユーザ及び携帯装置７間での所有者認証が成功すると、携帯装置７は図５に示すシーケンスに従ってネットワークシステム１から画像データの供給といった種々のサービスを受けるためにネットワーク端末装置を利用することができる。すなわち、図５においてユーザ及び携帯装置７間での所有者認証が成功した後、ユーザが携帯装置７の操作部４１を操作することにより利用要求を入力すると、携帯装置７は近距離通信部６１を介してネットワーク端末装置６に対して利用要求のコマンドを発信する。このとき携帯装置７はＲＯＭ７３（図３）に格納されている本体情報である携帯装置７の固有の機器ＩＤを利用要求に付加してネットワーク端末装置６に送信する。
【００２１】
ネットワーク端末装置６は携帯装置７からの利用要求を近距離通信部２０において受信し、自らが利用可能な状態である場合には携帯装置７から送られて来た機器ＩＤをＲＡＭ（Ｒａｍｄｏｍ  Ａｃｃｅｓｓ  Ｍｅｍｏｒｙ）３２に保存する。そしてネットワーク端末装置６は利用可能である旨を携帯装置７に送信する。このとき、ネットワーク端末装置６はＲＡＭ３２に保存した携帯装置７の固有の機器ＩＤとネットワーク端末装置６のＲＯＭ３３に格納されているネットワーク端末装置６の固有の機器ＩＤとを利用可能である旨の情報に付加して携帯装置７に送信する。以後、ネットワーク端末装置６及び携帯装置７間の赤外線による近距離通信においては、送信側が両者の固有の機器ＩＤを付加し、受信側がこれを識別することにより、他の携帯装置や他のネットワーク端末装置との間で誤って通信を行うことを防止している。
【００２２】
携帯装置７は、ネットワーク端末装置６からの利用可能情報を受信すると、送られて来たネットワーク端末装置６の機器ＩＤをＲＡＭ７２（図３）に保存した後、Ｆｌａｓｈ  ＲＯＭ７４に予め格納されている携帯装置７の正規ユーザを表すユーザＩＤをネットワーク端末装置６に送信する。このとき、携帯装置７のＣＰＵ７１は必要に応じてユーザＩＤを暗号化することにより、当該ユーザＩＤの漏洩を防止する。
【００２３】
因みに、ネットワーク端末装置６からその利用が不可能である旨の情報が携帯装置７に送信されたり、又は予め決められた所定時間内にネットワーク端末装置６から携帯装置７に対して情報が送信されなかった場合には、携帯装置７はその後の処理には進まず、表示部（図示せず）において所定の表示を行うと共にユーザからの所有者認証入力（指紋入力）を待ち受ける初期状態に戻る。
【００２４】
携帯装置７からのユーザＩＤを受け取ったネットワーク端末装置６は、ＦｌａｓｈＲＯＭ７４に予め格納されている認証サーバの位置情報を基に、ネットワーク２に接続された認証サーバ５に対して認証要求を送信する。この場合ネットワーク端末装置６はネットワーク通信部１５を介してダイアルアップ接続でＰＰＰ（Ｐｏｉｎｔ  ｔｏ  Ｐｏｉｎｔ  Ｐｒｏｔｏｃｏｌ）通信によりインターネットサービスプロバイダ（ＩＳＰ）９を介して認証サーバ５との通信を行う。以後、ネットワーク２に接続されたサーバとの通信は同様にして行われる。またネットワーク端末装置６は、ネットワーク２と通信する際に自らの位置情報若しくはそれに準ずるＩＤ情報を送信情報に付加することにより、通信相手との通信を可能とする。
【００２５】
認証サーバ５は、ユーザＩＤが予めマスストレージ部１１４に登録されているものであるかを確認し、登録されている場合にはネットワーク端末装置６の利用にかかる費用やネットワーク通信使用料及びサービス料を課金情報としてマスストレージ部１１４に登録すると共に、ユーザＩＤに対する個人データサーバ４の位置情報をマスストレージ部１１４において検索し、認証結果と位置情報結果とをネットワーク端末装置６に送信する。ネットワーク端末装置と認証サーバ間の通信は必要に応じて通信情報を暗号化する。
【００２６】
なお、認証サーバ５における認証処理と個人画像データサーバ４の位置情報との検索処理はその両方を認証サーバ５が行う場合に代えて、認証サーバ５はネットワーク端末装置６を利用する際に必要な認証のみを行い、個人画像データサーバ４の位置情報は携帯装置７が保持してネットワーク端末装置６に送信する方法、又はネットワーク端末装置６が個人画像データサーバ４の位置情報を保持するようにしても良い。
【００２７】
ここで図６及び図７は認証サーバ５において認証処理手順を示し、認証サーバ５はステップＳＰ１１においてネットワーク端末装置６からユーザＩＤ及びネットワーク端末装置の機器ＩＤを受け取ると、ステップＳＰ１２に移ってマスストレージ部１１４（図６）のユーザＩＤの管理テーブル上で当該ユーザＩＤが予め登録されているものであるかを確認する。ここで登録済であることが確認されると、認証サーバ５はステップＳＰ１３からステップＳＰ１４に移って、認証されたユーザＩＤをもとに個人情報及び課金情報の処理を行う。この場合、個人情報の処理とはユーザＩＤに対応付けられた個人データサーバ４の位置情報をマスストレージ部１１４から検索する処理であり、また、課金情報の処理とはユーザＩＤに対応付けてネットワーク端末６の利用にかかる費用やネットワーク通信使用料及びサービス料を課金情報としてマスストレージ部１１４に登録する処理である。
【００２８】
ステップＳＰ１４において個人情報及び課金情報に関する処理が完了すると、認証サーバ５はステップＳＰ１５に移って、認証成功である旨と個人情報（ユーザＩＤに対応した個人データサーバ４の位置情報）とをこのときのユーザＩＤの送信元であるネットワーク端末装置６に送信する。
【００２９】
これに対してステップＳＰ１３において否定結果が得られると、このことはネットワーク端末装置６から送信されたユーザＩＤが認証サーバ５において未登録であることを表しており、このとき認証サーバ５はステップＳＰ１６に移って認証が失敗した旨をユーザＩＤの送信元であるネットワーク端末装置６に送信し当該処理手順を終了する。
【００３０】
このようにして認証サーバ５における認証処理が終了すると、図５において、ネットワーク端末装置６はユーザＩＤの認証が正しく行われた旨をユーザＩＤに対応した個人画像データサーバ４の位置情報と共に受信する。ネットワーク端末装置６は認証サーバ５から受け取らた個人データサーバ４の位置情報に基づき、ユーザＩＤに対応した個人データサーバ４に対してユーザＩＤを送信し、ユーザが必要とする第１のサービス（ホームサービス）を要求する。
【００３１】
サービスの要求を受け取った個人画像データサーバ４は、当該要求と共に受け取ったユーザＩＤに基づいて、ユーザが必要とするサービスを提供する。ここでは、個人画像データサーバ４は、ユーザが所有する画像データに関する情報と、サービス固有のＩＤに対応するサービスリスト名とを表示するサービスをホームサービスとしてネットワーク端末装置６に送信する。
【００３２】
なお、ネットワーク端末装置６がホームサービスを入手する他の方法として、携帯装置７がホームサービスを所有しこれをネットワーク端末装置６に送信する方法、携帯装置７がホームサービス固有のＩＤを所有しサービス検索サーバ８からネットワーク２に接続されたホームサービスサーバ（図示せず）の位置情報を検索し、当該検索されたホームサービスサーバから入手する方法、又は個人画像データサーバ４がホームサービス固有のＩＤを所有しサービス検索サーバ８からホームサービスサーバの位置情報を検索し、当該検索されたホームサービスサーバから入手する方法等がある。
【００３３】
ホームサービスを受け取ったネットワーク端末装置６は、その表示機能部１１によりサービスを実行し、ユーザに提示する。ユーザはネットワーク端末装置６の表示機能部１１に提示されたサービス（サービスリスト名）を見ながら、携帯装置７の操作部４１を操作してサービスリスト名の選択を行う。このときユーザが携帯装置７の操作部４１を操作することにより所望のアルバムプログラムサービスを選択すると、当該操作情報が赤外線による近距離通信によりネットワーク端末装置６に送られる。
【００３４】
ネットワーク端末装置６は携帯装置７からの操作情報を基に、サービスの提示状態を変化させて、ユーザに対するサービスのユーザインターフェイス機能を実現する。そしてこのときユーザによって選択されたアルバムプログラムサービス固有のＩＤをサービス検索サーバ８に送信する。
【００３５】
サービス検索サーバ８は、サービス固有のＩＤを基にアルバムプログラムサービスサーバ３の位置情報を検索結果としてネットワーク端末装置６に送信する。ネットワーク端末装置６は検索結果であるアルバムプログラムサービスサーバ３の位置情報を基にアルバムプログラムサービスサーバ３にサービスとして例えば個人画像データサーバ４上にあるユーザ所有の画像をアルバム化したり種々の処理を加えるといったプログラム（アルバムプログラムサービス）の要求をそのサービス固有のＩＤと共に送信する。
【００３６】
ネットワーク端末装置６からユーザによって選択されたアルバムプログラムサービスの要求を受け取ったアルバムプログラムサービスサーバ３は、当該アルバムプログラムサービス固有のＩＤに基づいて当該サービスを検索し、検索されたサービスであるプログラム（アルバムプログラムコード）をネットワーク端末装置６に送信する。
【００３７】
因みに、図８及び図９はアルバムプログラムサービスサーバ３におけるサービス提供処理を示すものであり、アルバムプログラムサービスサーバ３は、ステップＳＰ２１においてネットワーク端末装置６からユーザによって選択されたサービス（例えばアルバムプログラムサービス）を表すサービスＩＤと、当該サービスＩＤの送信元であるネットワーク端末装置６を特定するための端末装置情報（機器ＩＤ等）をネットワーク端末装置６からネットワーク通信部８１を介して受け取ると、続くステップＳＰ２２に移って、受け取ったサービスＩＤからマスストレージ部１１４に登録されているサービスを検索する。
【００３８】
そしてアルバムプログラムサービスサーバ３はステップＳＰ２２において検索されたサービスであるプログラム（アルバムプログラムコード）を続くステップＳＰ２３においてネットワーク端末装置６に送信する。
【００３９】
アルバムプログラムサービスサーバ３のサービスの一つであるアルバムプログラムコードを受け取ったネットワーク端末装置６は、受け取ったアルバムプログラムコードを実行することにより、ユーザ個人の画像データを電子アルバムとして表示機能部１１に表示することによりユーザに提示する。
【００４０】
ユーザはかかるサービス操作以降のサービス利用操作を繰り返すことにより、すべてのサービスを受け取った後、携帯装置７の操作部４１を操作することにより利用終了要求をネットワーク装置６に送信する。利用終了要求を受け取ったネットワーク端末装置６は表示部１１に利用終了状態を可視表示することによりユーザに対して利用が終了した旨を示す。
【００４１】
以上の構成において、携帯装置７を所持するユーザはネットワーク２に接続された複数のネットワーク端末装置６のうち、任意のネットワーク端末装置６との間で所有者認証を行う。各ネットワーク端末装置６（又は携帯装置７）にはそれぞれ認証サーバ５の位置情報が保持されており、ユーザとの間で所有者認証を行ったネットワーク端末装置６は、認証サーバ５の位置情報を用いて認証サーバ５にアクセスする。
【００４２】
従って、携帯装置７を所持するユーザは、当該携帯装置７を用いて所有者認証を行い、ネットワーク端末装置６の利用が可能となれば、当該ネットワーク端末装置６を介して認証サーバ５との間で認証を行うことができる。認証サーバ５との間で認証処理が成功すると、当該認証処理を行ったネットワーク端末装置６を介してネットワーク２上の各サーバ（アルバムプログラムサービスサーバ３、個人画像データサーバ４等）からサービスを受け取ることができる。
【００４３】
従って、ユーザは固有の携帯装置７を所持していれば、いずれのネットワーク端末装置６においてもネットワーク２を介したサービスの提供を受けることができ、例えば外出先等においても任意のネットワーク端末装置６を介して種々のサービスを利用することができる。
【００４４】
従って以上の構成によれば、ユーザはパーソナルコンピュータ等のネットワーク端末装置を持ち歩くことなく、可搬性の高い携帯装置７を所持するだけで任意の場所のネットワーク端末装置６を介したサービスの利用を行うことができる。
【００４５】
なお上述の実施の形態においては、画像データや画像データをアルバム化するサービスを提供するネットワークシステム１に本発明を適用した場合について述べたが、本発明はこれに限らず、例えば動画や音声、テキスト情報等のコンテンツの閲覧やチケットの予約といった他の種々のサービスを提供するネットワークシステムに広く適用することができる。この場合、例えば、図１との対応部分に同一符号を付して示す図１０に示すように、ネットワークシステム２０１は、ネットワーク２に対してユーザが使用する複数のネットワーク端末装置６が接続される。またネットワーク２にはコンテンツやチケット予約に関する情報やプログラムを持ち、これをネットワーク端末装置６に供給するようになされたサービスサーバ２０３と、ユーザごとに固有のサービスを格納し、ユーザＩＤにより対応するサービスを提供する個人データサーバ２０４と、ネットワーク端末装置６を使用するユーザを認証して当該ユーザのユーザＩＤと個人画像データサーバ４とを対応付けるための認証サーバ５とがそれぞれ接続される。
【００４６】
このネットワークシステム２０１においても、図１について上述したネットワーク１の場合と同様にして、携帯装置７を所持するユーザはネットワーク端末装置６との間で指紋等を利用した所有者認証を行うことにより、ネットワーク端末装置６を介して認証サーバ５との間で認証処理を行い、当該認証処理が成功したときサービスサーバ２０３や個人データサーバ２０４から種々のサービスを受け取ることができる。
【００４７】
また上述の実施の形態においては、ユーザ及び携帯装置７間における所有者認証方法として指紋を利用した認証を行う場合について述べたが、本発明はこれに限らず、網膜等、他の種々の生体情報を利用した認証方法を適用することができる。
【００４８】
（２）第２の実施の形態
図１１はホームネットワークシステム３０１の全体構成を示し、家庭内のネットワーク３０２に対してユーザが使用するテレビモニタ３０６が例えばＩＥＥＥ１３９４インターフェイスを介して接続される。またネットワーク３０２には個人向けのコンテンツ（動画等）が各個人ごとに格納されたビデオサーバ３０５がＩＥＥＥ１３９４インターフェイスを介して接続される。このビデオサーバ３０５にはテレビモニタ３０６からネットワーク３０２を介して供給されたユーザＩＤについて予め登録されているユーザＩＤを検索することにより認証を行う認証機能部や、当該ユーザＩＤに応じたビデオ映像を検索する検索機能部や、ユーザＩＤに応じたビデオ映像リストを提供する機能部を有する。
【００４９】
テレビモニタ３０６はネットワーク通信部３１５を介してネットワーク３０２との間でデータの授受を行うようになされており、リモートコマンダ３０７Ａ、３０７Ｂ、……からユーザの操作に応じて供給される赤外線（近距離通信）を利用したコマンドに従って、ビデオサーバ３０５からネットワーク３０２を介して各ユーザが個人毎に所有するリモートコマンダ３０７Ａ、３０７Ｂ、……に対応したビデオ映像やビデオ映像リスト等の種々の情報を受け取り、表示機能部３１１に提示するようになされている。
【００５０】
図１２はホームネットワークシステム３０１におけるシーケンスチャートを示し、リモートコマンダ３０７Ａ、３０７Ｂ、……のいずれか（例えばリモートコマンダ３０７Ａ）を操作するユーザは、テレビモニタ３０６に対して利用要求を送信する前に、当該リモートコマンダ３０７Ａに対して暗証番号を入力することによりリモートコマンダ３０７Ａとの間で所有者認証を行う。リモートコマンダ３０７Ａは入力された暗証番号とその内部に設けられたＦｌａｓｈ  ＲＯＭ（図示せず）に予め格納されている暗証番号とを照合し、合致したとき当該暗証番号を入力したユーザが正規ユーザであるとして認証結果を表示部（図示せず）に表示し所有者認証が成功した旨をユーザに通知する。
【００５１】
そして、ユーザはテレビモニタ３０６に向けて操作部３４１Ａにある利用要求のための操作ボタンを押圧操作する。リモートコマンダ３０７Ａは当該押圧操作情報を検出することにより、テレビモニタ３０６に対して赤外線通信部（近距離通信部）３６１Ａを介して利用要求のコマンドを発信する。このときリモートコマンダ３０７Ａは当該リモートコマンダ固有のＩＤを利用要求に付加してテレビモニタ３０６に送信する。
【００５２】
テレビモニタ３０６は、リモートコマンダ３０７Ａからの利用要求を受信し、自らが利用可能な状態である場合には、リモートコマンダ３０７Ａから送られて来たリモートコマンダ固有のＩＤを保存した後、赤外線通信部（近距離通信部）３２０を介してテレビモニタ３０６が利用可能である旨をリモートコマンダ３０７Ａに送信する。このとき、通信を行うリモートコマンダ固有のＩＤとテレビモニタ固有のＩＤを付加してリモートコマンダ３０７Ａに送信する。以後、リモートコマンダ３０７Ａ及びテレビモニタ３０６間の赤外線による近距離通信においては、送信側が両者の固有のＩＤを付加し、受信側が付加されたＩＤを識別することにより、他のリモートコマンダ３０７Ｂ、……や他のテレビモニタと誤って通信することを防止している。
【００５３】
テレビモニタ３０６からの利用可能状態情報を受信したリモートコマンダ３０７Ａは、テレビモニタ３０６が利用可能である場合には送られて来たテレビモニタ３０６のＩＤを保存し、続いてユーザＩＤと共に第１のサービスとしてビデオ映像リストの要求をテレビモニタ３０６に送信する。このとき、必要に応じてユーザＩＤを暗号化して送信することによりユーザＩＤの漏洩を防止する。
【００５４】
なお、リモートコマンダ３０７Ａがテレビモニタ３０６の利用が不可能である旨を受信した場合や、予め設定された所定時間内に利用可能情報を受信しない場合には、ユーザに対して表示機能部３１１を介して受信エラーを表す情報を表示すると共に以降の処理に進まなくなる。
【００５５】
テレビモニタ３０６は、ユーザＩＤ及びサービス要求を受信すると、ネットワーク３０２に接続されたビデオサーバ３０５に対してユーザＩＤ及びサービス要求を送信する。この場合の通信はネットワーク通信部３１５を介してＩＥＥＥ１３９４インターフェイスにより行われる。以後、ホームネットワーク上のサーバ（ビデオサーバ３０５等）との通信は同様にして実行される。そして、以後テレビモニタ３０６はネットワーク３０２と通信する際に自らの位置情報又はそれに準ずるＩＤ情報を送信情報に付加することにより通信相手との通信を可能とする。
【００５６】
ビデオサーバ３０５は、テレビモニタ３０６から送られて来たユーザＩＤに基づいて、まず当該ユーザＩＤが予め登録されているユーザＩＤであるか否かの認証を行い、登録済のユーザＩＤである場合には認証が成功したものとして、ユーザの必要とするビデオ映像リストを第１のサービスとしてネットワーク３０２を介してテレビモニタ３０６に送信する。テレビモニタ３０６は、ビデオサーバ３０５からのビデオ映像リストを表示機能部３１１に表示することにより、これをユーザに提示する。
【００５７】
ユーザは提示されたビデオ映像リストを見ながら、リモートコマンダ３０７Ａ上の操作部３４１Ａを用いて表示機能部３１１に表示されたビデオ映像リスト上で映像リスト名を選択する。そしてこのときユーザがリモートコマンダ３０７Ａの操作部３４１Ａに設けられた選択決定ボタン（図示せず）を押圧操作することにより、当該操作情報が赤外線を用いた近距離通信によりテレビモニタ３０６に送信される。
【００５８】
テレビモニタ３０６は、リモートコマンダ３０７Ａから受け取った操作情報に基づいて、表示機能部３１１のビデオ映像リストの表示状態を変化させることにより、ユーザの操作結果を表示画面に反映したユーザインターフェイスを実現する。そして、ユーザのリモートコマンダ３０７Ａの操作によりビデオ映像名が選択されると、当該選択されたビデオ映像固有のＩＤと共にビデオ映像のサービス要求をネットワーク３０２を介してビデオサーバ３０５に送信する。
【００５９】
ビデオサーバ３０５は、テレビモニタ３０６から送られて来たビデオ映像固有のＩＤを基に、ビデオ映像を検索しこれをネットワーク３０２を介してテレビモニタ３０６に送信する。テレビモニタ３０６はこのとき受け取ったビデオ映像を表示機能部３１１に表示することにより、ユーザに提示する。
【００６０】
ユーザはかかるビデオ映像の提供を受けた後、リモートコマンダ３０７Ａの操作部３４１Ａを操作することにより、利用終了要求をテレビモニタ３０６に送信する。利用終了要求を受信したテレビモニタ３０６は、利用終了を表す表示を表示機能部３１１に対して行うことにより利用終了状態となることをユーザに提示し、またこのときビデオサーバ３０５が動作途中である場合には利用終了要求をビデオサーバ３０５に送信する。ビデオサーバ３０５は利用終了要求を受けることにより、ビデオ映像の送信を終了する。
【００６１】
以上の構成において、ユーザごとに固有のリモートコマンダ３０７（３０７Ａ、３０７Ｂ、……）を所持するユーザはネットワーク３０２に接続されたテレビモニタ３０２との間で所有者認証を行う。テレビモニタ３０６（又はリモートコマンダ３０７Ａ（３０７Ｂ、……）にはそれぞれ認証サーバ３０５の位置情報が保持されており、ユーザとの間での所有者認証が成功したテレビモニタ３０６は、ビデオサーバ３０５の位置情報を用いてユーザ入力に応じたビデオ映像やビデオ映像リストの要求をビデオサーバ３０５に送信する。
【００６２】
従って、ユーザは当該ユーザ固有のリモートコマンダ３０７Ａを用いてテレビモニタ３０６との間で所有者認証を行うだけで、ビデオサーバ３０５から当該ユーザ固有のビデオ映像の提供を受けることができる。
【００６３】
従って以上の構成によれば、ユーザはテレビモニタ３０６を使用する際に用いるリモートコマンダ３０７Ａを操作するだけで容易にビデオサーバ３０５から当該ユーザ固有に割当られたビデオ映像等の情報を受け取ることができる。
【００６４】
なお上述の実施の形態においては、ユーザごとに固有のリモートコマンダ３０７Ａ、３０７Ｂ、……を用いる場合について述べたが、本発明はこれに限らず、例えば図１３に示すように、１つのリモートコマンダ３７０に複数ユーザに対応した複数のユーザ設定ボタン３９１Ａを設け、各ユーザは複数のユーザ設定ボタン３９１Ａのなかから自分に割当られたボタンを操作することにより、リモートコマンダ３７０において操作ボタンに対応して登録しているユーザＩＤをテレビモニタ３０６に送信するようにしても良い。このようにすれば、１つのリモートコマンダ３７０を用いるだけで複数のユーザが個々に割当られたビデオ映像等の情報をビデオサーバ３０５から受け取ることができる。
【００６５】
また上述の実施の形態においては、ユーザ及びリモートコマンダ３０７Ａ間における所有者認証方法として暗証番号の入力による認証を行う場合について述べたが、本発明はこれに限らず、例えば指紋や網膜等、種々の生体情報を利用した認証方法を適用することができる。
【００６６】
また上述の実施の形態においては、ネットワーク３０２にテレビモニタ３０６ビデオサーバ３０５を接続したホームネットワークシステム３０１について述べたが、本発明はこれに限らず、例えばユーザが所有するリモートコマンダとのインターフェイス機能部を有する他の電子機器（ビデオテープレコーダ等）を介してネットワーク３０２に接続された種々のサービスサーバからサービスの提供を受けるシステムに広く適用することができる。
【００６７】
【発明の効果】
本発明によれば、携帯装置は、所定のサービスに対応するプログラムが格納されたサービスサーバを示す位置情報や、ユーザが選択可能な複数のサービスからなるサービスリストを保持する必要がない通信端末装置を介してプログラムを受信することができ、かくして通信端末装置を介してサービスを受けることができるネットワークシステム、通信端末装置及び携帯装置を実現できる。
【図面の簡単な説明】
【図１】本発明によるネットワークシステムの第１の実施の形態を示すブロック図である。
【図２】ネットワーク端末装置の構成を示すブロック図である。
【図３】携帯装置の構成を示すブロック図である。
【図４】各サーバの構成を示すブロック図である。
【図５】ネットワークシステムにおける情報利用シーケンスを示す略線図である。
【図６】認証サーバの認証処理の説明に供する略線的ブロック図である。
【図７】認証サーバの認証処理手順を示すフローチャートである。
【図８】サービスサーバのサービス提供処理の説明に供する略線図である。
【図９】サービスサーバのサービス提供処理手順を示すフローチャートである。
【図１０】ネットワークシステムの他の実施の形態を示すブロック図である。
【図１１】第２の実施の形態によるホームネットワークシステムの構成を示すブロック図である。
【図１２】ホームネットワークシステムにおけるシーケンスを示す略線図である。
【図１３】他の実施の形態によるホームネットワークシステムの構成を示すブロック図である。
【符号の説明】
１、２０１……ネットワークシステム、２……ネットワーク、３……アルパムプログラムサービスサーバ、４……個人画像データサーバ、５……認証サーバ、６……端末装置、７……携帯装置、８……サービス検索サーバ。
【図１】
0004496443.tif 000002
【図２】
0004496443.tif 000003
【図３】
0004496443.tif 000004
【図４】
0004496443.tif 000005
【図５】
0004496443.tif 000006
【図６】
0004496443.tif 000007
【図７】
0004496443.tif 000008
【図８】
0004496443.tif 000009
【図９】
0004496443.tif 000010
【図１０】
0004496443.tif 000011
【図１１】
0004496443.tif 000012
【図１２】
0004496443.tif 000013
【図１３】
0004496443.tif 000014